(57)【要約】【課題】  本発明は、ＡＲディスプレイ装置及び方法に関し、例えば、偏光板と光学レイヤを用いて車両用ＨＵＤを表示する装置及び方法を提供する。【解決手段】  一実施形態に係るＡＲディスプレイ装置は、予め決定されたスペクトル内で視覚的情報を含む第１光線を出力する出力部と、第１光線から第１ｓ極性光線を吸収し、第１ｐ極性光線を通過させる偏光板と、予め決定されたスペクトルに対応する波長を有し、光学レイヤの第１面に入射される第１ｐ極性光線の少なくとも一部を反射させる光学レイヤを含む。【選択図】      図１
2019185048.tif 000002
【特許請求の範囲】
【請求項１】
予め決定されたスペクトル内で視覚的情報を含む第１光線を出力する出力部と、
前記第１光線から第１ｓ極性光線を吸収し、第１ｐ極性光線を通過させる偏光板であって、前記第１ｓ極性光線は、前記第１光線に含まれるｓ極性の光線であり、前記第１ｐ極性光線は、前記第１光線に含まれるｐ極性の光線である、偏光板と、
前記予め決定されたスペクトルに対応する波長を有する光学レイヤであって、光学レイヤの第１面に入射する前記第１ｐ極性光線の少なくとも一部を反射させる光学レイヤと、
を含む、ＡＲディスプレイ装置。
【請求項２】
前記出力部は、前記視覚的情報を含む前記第１ｐ極性光線が前記偏光板を通過して前記光学レイヤに投影されるように、前記視覚的情報を含む前記第１ｐ極性光線を出力する、請求項１に記載のＡＲディスプレイ装置。
【請求項３】
前記光学レイヤは、前記偏光板を通過する前記第１ｐ極性光線のうち、前記予め決定されたスペクトルに対応する波長を有する前記第１ｐ極性光線の少なくとも一部を予め決定された視聴空間に反射させる、請求項１又は２に記載のＡＲディスプレイ装置。
【請求項４】
前記出力部は、
前記予め決定されたスペクトルに基づいて前記視覚的情報を表示するディスプレイパネルと、
前記視覚的情報を表示するために光を前記ディスプレイパネルに提供する光源と、
を含む、請求項１に記載のＡＲディスプレイ装置。
【請求項５】
前記視覚的情報を含む前記第１ｐ極性光線は、前記光学レイヤに投影されるとき予め決定された臨界角で入射される、請求項１−４のうち何れか一項に記載のＡＲディスプレイ装置。
【請求項６】
前記偏光板は、外部から入射されて前記光学レイヤを通過し、前記光学レイヤの第２面に入射する第２光線のうち第２ｓ極性光線を吸収し、前記第２ｓ極性光線は、前記第２光線に含まれるｓ極性の光線である、請求項１に記載のＡＲディスプレイ装置。
【請求項７】
外部から入射されて前記光学レイヤを通過し、前記光学レイヤの第２面に入射される第２光線のうち第２ｐ極性光線は、前記偏光板を通過して前記出力部によって反射され、前記第２ｐ極性光線は、前記第２光線に含まれるｐ極性の光線であり、
前記出力部によって反射された前記第２ｐ極性光線は、前記偏光板を通過して前記光学レイヤの前記第１面に投影される、請求項１に記載のＡＲディスプレイ装置。
【請求項８】
前記光学レイヤの前記第２面に入射される前記第２ｐ極性光線のうち、前記予め決定されたスペクトルに対応する波長を有する前記第２ｐ極性光線の第１部分は前記光学レイヤによって反射され、
前記光学レイヤの前記第２面に入射される前記第２ｐ極性光線のうち、前記予め決定されたスペクトル以外の波長を有する前記第２ｐ極性光線の第２部分は、前記光学レイヤ及び前記偏光板を通過して前記出力部によって反射され、
前記出力部によって反射された前記予め決定されたスペクトル以外の波長を有する前記第２ｐ極性光線の前記第２部分は、前記偏光板を通過して前記光学レイヤに投影され、前記光学レイヤによって反射されずに前記光学レイヤを通過する、請求項７に記載のＡＲディスプレイ装置。
【請求項９】
前記光学レイヤは、前記予め決定されたスペクトルに対応する波長を有する前記第１ｐ極性光線を予め決定された反射率に応じて反射させる、請求項１又は２に記載のＡＲディスプレイ装置。
【請求項１０】
前記予め決定されたスペクトルは複数の波長を含み、
前記光学レイヤは、前記複数の波長ごとに異なる反射率を有する、請求項１−９のうち何れか一項に記載のＡＲディスプレイ装置。
【請求項１１】
前記予め決定されたスペクトルは、赤色系統の波長を有する光線、緑色系統の波長を有する光線、及び青色系統の波長を有する光線のうち少なくとも１つを含む、請求項１−１０のうち何れか一項に記載のＡＲディスプレイ装置。
【請求項１２】
前記光学レイヤの反射率は、前記光学レイヤによって要求される可視性に基づいて決定される、請求項１又は２に記載のＡＲディスプレイ装置。
【請求項１３】
前記光学レイヤは、前記光学レイヤの第２面に入射される第２光線のうち、前記予め決定されたスペクトルに対応する波長を有する前記第２光線の少なくとも一部を反射させる、請求項１又は２に記載のＡＲディスプレイ装置。
【請求項１４】
前記光学レイヤは、前記光学レイヤの第２面に入射される第２光線のうち、赤外線系統の波長を有する前記第２光線の少なくとも一部を反射させる、請求項１又は２に記載のＡＲディスプレイ装置。
【請求項１５】
前記光学レイヤは、車両のウインドシールドと内部ガラスレイヤとの間、前記車両のウインドシールドの外側、又は前記車両の前記内部ガラスレイヤの内側に位置する、請求項１又は２に記載のＡＲディスプレイ装置。
【請求項１６】
前記光学レイヤは、回折光学素子（ＤＯＥ）及びホログラフィック光学素子（ＨＯＥ）のうち少なくとも１つを含む、請求項１−１５のうち何れか一項に記載のＡＲディスプレイ装置。
【請求項１７】
出力部を用いて、予め決定されたスペクトル内で視覚的情報を含む光線を出力するステップと、
偏光板を用いて、前記視覚的情報を含む光線のうちｓ極性の光線を吸収するステップと、
前記偏光板を用いて、前記視覚的情報を含む光線のうちｐ極性の光線を通過させるステップと、
光学レイヤを用いて、前記偏光板で通過した前記ｐ極性の光線の少なくとも一部を予め決定された視聴空間に反射させるステップと、
を含む、ＡＲディスプレイ方法。
【請求項１８】
前記視覚的情報を含む光線を出力するステップは、前記視覚的情報を含む光線が前記偏光板を通過して前記光学レイヤに投影されるように、前記視覚的情報を含む光線がｐ極性を有するように出力するステップを含む、請求項１７に記載のＡＲディスプレイ方法。
【請求項１９】
前記予め決定された視聴空間に反射させるステップは、前記偏光板を通過した前記ｐ極性の光線のうち、前記予め決定されたスペクトルに対応する波長を有する前記ｐ極性の光線の前記少なくとも一部を前記予め決定された視聴空間に反射させるステップを含む、請求項１７に記載のＡＲディスプレイ方法。
【請求項２０】
１つ以上の命令を格納するメモリと、
視覚的情報を生成し、
前記視覚的情報を出力するようにディスプレイパネルを制御するために、
前記１つ以上の命令を行うプロセッサと、
予め決定されたスペクトル内で前記視覚的情報を含む光線を出力する前記ディスプレイパネルと、
前記ディスプレイパネルから出力される前記光線のうち、ｐ極性の光線だけを通過させる偏光板と、
前記ｐ極性の光線の少なくとも一部を視聴空間に反射する光学レイヤと、
を含む、ＡＲディスプレイ装置。
【請求項２１】
前記光学レイヤは、前記予め決定されたスペクトルに対応する波長を有する前記ｐ極性の光線の少なくとも一部を前記視聴空間にさらに反射する、請求項２０に記載のＡＲディスプレイ装置。
【請求項２２】
前記光学レイヤは、前記視覚的情報を含む前記ｐ極性の光線が予め決定された角度で前記光学レイヤに入射するよう、前記ｐ極性の光線の方向を調整する、請求項２０に記載のＡＲディスプレイ装置。
【請求項２３】
車両のウインドシールドと、
前記ウインドシールドに形成されるマルチバンドの二色性コーティングレイヤと、
を含み、
前記マルチバンドの二色性コーティングは、
前記車両の外部から前記マルチバンドの二色性コーティングレイヤに入射する光線の第１スペクトルを反射し、
前記車両の外部から前記マルチバンドの二色性コーティングレイヤに入射する前記光線の第２スペクトルを通過させ、
前記車両の内部で反射される前記光線の前記第２スペクトルのｐ極性の部分を通過させる、
ＡＲディスプレイ装置。
【請求項２４】
前記マルチバンドの二色性コーティングレイヤは、前記車両の内部で生成される視覚的情報を含むｐ極性の光線の少なくとも一部を視聴空間に反射するようさらに構成される、請求項２３に記載のＡＲディスプレイ装置。
【請求項２５】
コーティングレイヤをさらに含み、
前記マルチバンドの二色性コーティングレイヤは、前記ウインドシールドと前記コーティングレイヤとの間に形成される、請求項２３に記載のＡＲディスプレイ装置。
【発明の詳細な説明】
【技術分野】
【０００１】
本発明の実施形態は、ＡＲディスプレイ装置及び方法に関し、例えば、偏光板と光学レイヤを用いて車両用ＨＵＤを表示する装置及び方法に関する。
【背景技術】
【０００２】
ヘッドアップ・ディスプレイ（ＨＵＤ：ｈｅａｄ  ｕｐ  ｄｉｓｐｌａｙ）システムは、運転者の前方に虚像（ｖｉｒｔｕａｌ  ｉｍａｇｅ）を生成し、虚像内に情報を表示して運転者へ様々な情報を提供する。運転者に提供される情報は、車両の速度、ガソリン残量、エンジンＲＰＭ（ｒｅｖｏｌｕｔｉｏｎ  ｐｅｒ  ｍｉｎｕｔｅ）などの計器盤情報、及びナビゲーション情報を含む。運転者は、運転中に視線を移動することなく前方に表示された情報を容易に把握できるため、運転の安定性が高くなり得る。ＨＵＤシステムは、計器盤情報及びナビゲーション情報の他にも前方視野の良くない場合を助けるため、車線表示、工事表示、交通事故表示、人を示す警告表示などを運転者に拡張現実（ＡＲ：Ａｕｇｍｅｎｔｅｄ  Ｒｅａｌｉｔｙ）方式で提供する。
【０００３】
光は、電場と磁場の組合せで構成され、電場と磁場は互いに対して垂直方向に振動する。電場の振動方向が入射平面に対して垂直である場合はｓ極性（ｓ−ｐｏｌａｒｉｚａｔｉｏｎ）に該当し、電場の振動方向が入射平面に対して平行である場合はｐ極性（ｐ−ｐｏｌａｒｉｚａｔｉｏｎ）に該当する。光がいずれかの媒質から他の媒質に入射するとき、光の反射量と透過量は２つの媒質の屈折率及び光の入射角に応じて決定される。光の反射量と透過量は、フレネルの式（Ｆｒｅｓｎｅｌ  ｅｑｕａｔｉｏｎ）により説明される。
【発明の概要】
【発明が解決しようとする課題】
【０００４】
実施形態の目的は、出力部で出力された視覚的情報を含むｐ極性の光線が視聴空間に伝達されるようにすることで、車両の運転者が視覚的情報（ＨＵＤ映像）を視聴することにある。
【０００５】
実施形態の目的は、車両の外部から入射される太陽光がユーザ（例えば、運転者など）に反射されることを防止することにある。
【０００６】
実施形態の目的は、偏光サングラスを着用したユーザにもＨＵＤ映像を提供することにある。
【課題を解決するための手段】
【０００７】
一実施形態に係る偏光板及び光学レイヤを活用したＡＲディスプレイ装置は、出力部から出力された視覚的情報を含むｐ極性の光線が視聴空間に伝達されるようにすることで、車両の運転者が視覚的情報（ＨＵＤ映像）を視聴するようにする。
【０００８】
一実施形態に係る偏光板及び光学レイヤを活用したＡＲディスプレイ装置は、外部から入射された光線が予め決定された視聴空間に伝達されないように遮断し得る。外部から入射された光線の波長が光学レイヤで反射させるスペクトルに含まれ、外部から入射された光線がｐ極性の光線に該当する場合、外部から入射された光線の少なくとも７５％を予め決定された視聴空間に伝達されないように遮断し得る。外部から入射された光線の波長が光学レイヤが受信された光線の少なくとも一部を反射させるスペクトルに含まれていないか、外部から入射された光線がｓ極性の光線に該当する場合、外部から入射された光線の全てを予め決定された視聴空間に伝達されないように遮断し得る。
【０００９】
一実施形態に係るＡＲディスプレイ装置は、予め決定されたスペクトル内で視覚的情報を含む第１光線を出力する出力部と、前記第１光線から第１ｓ極性光線を吸収し、第１ｐ極性光線を通過させる偏光板（前記第１ｓ極性光線は、前記第１光線に含まれるｓ極性の光線であり、前記第１ｐ極性光線は、前記第１光線に含まれるｐ極性の光線である）と、前記予め決定されたスペクトルに対応する波長を有し、光学レイヤの第１面に入射する前記第１ｐ極性光線の少なくとも一部を反射させる前記光学レイヤとを含む。
【００１０】
一実施形態に係る前記出力部は、前記視覚的情報を含む前記第１ｐ極性光線が前記偏光板を通過して前記光学レイヤに投影されるように、前記視覚的情報を含む前記第１ｐ極性光線を出力し得る。
【００１１】
一実施形態に係る前記光学レイヤは、前記偏光板を通過する前記第１ｐ極性光線のうち、前記予め決定されたスペクトルに対応する波長を有する前記第１ｐ極性光線の少なくとも一部を予め決定された視聴空間に反射させ得る。
【００１２】
一実施形態に係る前記出力部は、前記予め決定されたスペクトルに基づいて前記視覚的情報を表示するディスプレイパネルと、前記視覚的情報を表示するために光を前記ディスプレイパネルに提供する光源とを含み得る。
【００１３】
一実施形態に係る前記視覚的情報を含む前記第１ｐ極性光線は、前記光学レイヤに投影されるとき予め決定された臨界角で入射され得る。
【００１４】
一実施形態に係る前記偏光板は、外部から入射されて前記光学レイヤを通過し、前記光学レイヤの第２面に入射する第２光線のうち第２ｓ極性光線を吸収（前記第２ｓ極性光線は、前記第２光線に含まれるｓ極性の光線である）し得る。
【００１５】
一実施形態に係る外部から入射されて前記光学レイヤを通過し、前記光学レイヤの第２面に入射される第２光線のうち第２ｐ極性光線は、前記偏光板を通過して前記出力部によって反射され（前記第２ｐ極性光線は、前記第２光線に含まれるｐ極性の光線である）、前記出力部によって反射された前記第２ｐ極性光線は、前記偏光板を通過して前記光学レイヤの前記第１面に投影され得る。
【００１６】
一実施形態に係る前記光学レイヤの前記第２面に入射される前記第２ｐ極性光線のうち、前記予め決定されたスペクトルに対応する波長を有する前記第２ｐ極性光線の第１部分は、前記光学レイヤによって反射され、前記光学レイヤの前記第２面に入射される前記第２ｐ極性光線のうち、前記予め決定されたスペクトル以外の波長を有する前記第２ｐ極性光線の第２部分は、前記光学レイヤ及び前記偏光板を通過して前記出力部によって反射され、前記出力部によって反射された前記予め決定されたスペクトル以外の波長を有する前記第２ｐ極性光線の前記第２部分は、前記偏光板を通過して前記光学レイヤに投影され、前記光学レイヤによって反射されずに前記光学レイヤを通過し得る。
【００１７】
一実施形態に係る前記光学レイヤは、前記予め決定されたスペクトルに対応する波長を有する前記第１ｐ極性光線を予め決定された反射率に応じて反射させ得る。
【００１８】
一実施形態に係る前記予め決定されたスペクトルは複数の波長を含み、前記光学レイヤは、前記複数の波長ごとに異なる反射率を有し得る。
【００１９】
一実施形態に係る前記予め決定されたスペクトルは、赤色系統の波長を有する光線、緑色系統の波長を有する光線、及び青色系統の波長を有する光線のうち少なくとも１つを含み得る。
【００２０】
一実施形態に係る前記光学レイヤの反射率は、前記光学レイヤによって要求される可視性に基づいて決定され得る。
【００２１】
一実施形態に係る前記光学レイヤは、前記光学レイヤの第２面に入射される第２光線のうち、前記予め決定されたスペクトルに対応する波長を有する前記第２光線の少なくとも一部を反射させ得る。
【００２２】
一実施形態に係る前記光学レイヤは、前記光学レイヤの第２面に入射される第２光線のうち、赤外線系統の波長を有する前記第２光線の少なくとも一部を反射させ得る。
【００２３】
一実施形態に係る前記光学レイヤは、車両のウインドシールドと内部ガラスレイヤとの間、前記車両のウインドシールドの外側、又は前記車両の前記内部ガラスレイヤの内側に位置し得る。
【００２４】
一実施形態に係る前記光学レイヤは、回折光学素子（ＤＯＥ）及びホログラフィック光学素子（ＨＯＥ）のうち少なくとも１つを含み得る。
【００２５】
一実施形態に係るＡＲディスプレイ方法は、出力部を用いて、予め決定されたスペクトル内で視覚的情報を含む光線を出力するステップと、偏光板を用いて、前記視覚的情報を含む光線のうちｓ極性の光線を吸収するステップと、前記偏光板を用いて、前記視覚的情報を含む光線のうちｐ極性の光線を通過させるステップと、光学レイヤを用いて、前記偏光板で通過した前記ｐ極性の光線の少なくとも一部を予め決定された視聴空間に反射させるステップとを含む。
【００２６】
一実施形態に係る前記視覚的情報を含む光線を出力するステップは、前記視覚的情報を含む光線が前記偏光板を通過して前記光学レイヤに投影されるように、前記視覚的情報を含む光線がｐ極性を有するように出力するステップを含み得る。
【００２７】
一実施形態に係る前記予め決定された視聴空間に反射させるステップは、前記偏光板を通過した前記ｐ極性の光線のうち、前記予め決定されたスペクトルに対応する波長を有する前記ｐ極性の光線の前記少なくとも一部を前記予め決定された視聴空間に反射させるステップを含み得る。
【００２８】
一実施形態に係るＡＲディスプレイ装置は、１つ以上の命令を格納するメモリと、視覚的情報を生成し、前記視覚的情報を出力するようにディスプレイパネルを制御するために、前記１つ以上の命令を行うプロセッサと、予め決定されたスペクトル内で前記視覚的情報を含む光線を出力する前記ディスプレイパネルと、前記ディスプレイパネルから出力される前記光線のうち、ｐ極性の光線だけを通過させる偏光板と、前記ｐ極性の光線の少なくとも一部を視聴空間に反射する光学レイヤとを含む。
【００２９】
一実施形態に係る前記光学レイヤは、前記予め決定されたスペクトルに対応する波長を有する前記ｐ極性の光線の少なくとも一部を前記視聴空間にさらに反射し得る。
【００３０】
一実施形態に係る前記光学レイヤは、前記視覚的情報を含む前記ｐ極性の光線が予め決定された角度で前記光学レイヤに入射するよう、前記ｐ極性の光線の方向を調整し得る。
【００３１】
一実施形態に係るＡＲディスプレイ装置は、車両のウインドシールドと、前記ウインドシールドに形成されるマルチバンドの二色性コーティングレイヤとを含み、前記マルチバンドの二色性コーティングは、前記車両の外部から前記マルチバンドの二色性コーティングレイヤに入射する光線の第１スペクトルを反射し、前記車両の外部から前記マルチバンドの二色性コーティングレイヤに入射する前記光線の第２スペクトルを通過させ、前記車両の内部で反射される前記光線の前記第２スペクトルのｐ極性の部分を通過させる。
【００３２】
一実施形態に係る前記マルチバンドの二色性コーティングレイヤは、前記車両の内部で生成される視覚的情報を含むｐ極性の光線の少なくとも一部を視聴空間に反射するようさらに構成され得る。
【００３３】
一実施形態に係るＡＲディスプレイ装置は、コーティングレイヤをさらに含み、前記マルチバンドの二色性コーティングレイヤは、前記ウインドシールドと前記コーティングレイヤとの間に形成され得る。
【発明の効果】
【００３４】
実施形態によると、出力部で出力された視覚的情報を含むｐ極性の光線が視聴空間に伝達されるようにすることで、車両の運転者が視覚的情報（ＨＵＤ映像）を視聴することができる。
【００３５】
実施形態によると、車両の外部から入射される太陽光がユーザ（例えば、運転者など）に反射されることを防止できる。
【００３６】
実施形態によると、偏光サングラスを着用したユーザにもＨＵＤ映像を提供することができる。
【図面の簡単な説明】
【００３７】
【図１】一実施形態に係るＨＵＤ表示装置の動作と一実施形態に係る視覚的情報を含むｐ極性の光線の進みを説明するための図である。
【図２】一実施形態に係る外部から入射された光線の進みを説明するための図である。
【図３】一実施形態に係る屈折率が他の媒質に入射する光線の極性及び入射角による反射率を説明するための図である。
【図４】一実施形態に係る光学レイヤが反射させる光線の波長のスペクトルの例示図である。
【図５】一実施形態に係る光学レイヤの動作を説明するための図である。
【図６】一実施形態に係る偏光メガネを着用した時のＨＵＤ映像の可視性を説明するための図である。
【図７】一実施形態に係る視覚的情報を含むｐ極性の光線の進みを説明するための動作フローチャートである。
【図８】一実施形態に係る外部から入射された光線の進みを説明するための動作フローチャートである。
【発明を実施するための形態】
【００３８】
実施形態に対する特定な構造的又は機能的な説明は単なる例示のための目的として開示されたものとして、様々な形態に変更される。したがって、実施形態は特定な開示形態に限定されるものではなく、本明細書の範囲は技術的な思想に含まれる変更、均等物ないし代替物を含む。
【００３９】
第１又は第２などの用語を複数の構成要素を説明するために用いることがあるが、このような用語は１つの構成要素を他の構成要素から区別する目的としてのみ解釈されなければならない。例えば、第１構成要素は第２構成要素と命名することができ、同様に第２構成要素は第１構成要素にも命名することができる。
【００４０】
いずれかの構成要素が他の構成要素に「連結」されているか「接続」されていると言及されたときには、その他の構成要素に直接的に連結されているか又は接続されているが、中間に他の構成要素が存在し得るものと理解されなければならない。
【００４１】
本明細書で用いられる用語は、単に特定の実施形態を説明するために使用されたものであり、本発明を限定しようとする意図はない。単数の表現は、文脈上、明白に異なる意味をもたない限り複数の表現を含む。本明細書において、「含む」又は「有する」等の用語は明細書上に記載した特徴、数字、ステップ、動作、構成要素、部品又はこれらを組み合わせたものが存在することを示すものであって、１つ又はそれ以上の他の特徴や数字、ステップ、動作、構成要素、部品、又はこれを組み合わせたものなどの存在又は付加の可能性を予め排除しないものとして理解しなければならない。
【００４２】
異なるように定義さがれない限り、技術的であるか又は科学的な用語を含むここで用いる全ての用語は、本実施形態が属する技術分野で通常の知識を有する者によって一般的に理解されるものと同じ意味を有する。一般的に用いられる予め定義された用語は、関連技術の文脈上で有する意味と一致する意味を有するものと解釈すべきであって、本明細書で明白に定義しない限り、理想的又は過度に形式的な意味として解釈されることはない。
【００４３】
以下、実施形態を添付の図面を参照して詳説する。添付図面を参照して説明することにおいて、図面符号に関わらず同じ構成要素は同じ参照符号を付与し、これに関する重複説明は省略することにする。
【００４４】
図１は、一実施形態に係るＨＵＤ表示装置の動作と一実施形態に係る視覚的情報を含むｐ極性の光線の進みを説明するための図である。図１を参照すると、一実施形態に係るＨＵＤ表示装置は、出力部１１０、偏光板１２０、及び光学レイヤ１４０を含む。出力部１１０は、予め決定されたスペクトルに基づいて視覚的情報を含むｐ極性（ｐ−ｐｏｌａｒｉｚｅｄ）の映像を出力する。偏光板１２０はｓ極性の光線を吸収し、ｐ極性の光線を通過させる。光学レイヤ１４０は、予め決定されたスペクトルの光線のうち少なくとも一部を反射させる。
【００４５】
例えば、光学レイヤ１４０は、予め決定されたスペクトル内の波長を有するｐ極性の光線を反射させ得る。この場合、出力部１１０によって出力されたｐ極性の映像は、偏光板１２０を通過して光学レイヤ１４０に入射した後、光学レイヤ１４０から反射してユーザに提供される。
【００４６】
下記で詳細に説明するが、ｐ極性の映像を用いて視覚的情報を提供することで、ｓ極性の映像を用いて視覚的情報を提供する場合に発生する問題が解決される。例えば、図２を参照すると、実施形態は、車両のＨＵＤシステムに適用され、車両の外部から入射される太陽光がユーザ（例えば、運転者など）に反射されることが防止される。また、図６を参照すると、偏光サングラスを着用したユーザ（例えば、運転者など）にもＨＵＤ映像が提供され得る。その他に、実施形態に係る様々な技術的な効果が存在し、より具体的な事項は後述する。
【００４７】
再び図１を参照すると、出力部１１０は、ディスプレイパネル１１１及び光源１１３を含む。ディスプレイパネル１１１は、第１スペクトルに基づいて視覚的情報を含むｐ極性のＨＵＤ映像を表示し、光源１１３は、ＨＵＤ映像を表示するための白色の光をディスプレイパネル１１１に提供する。一実施形態によれば、第１スペクトルは予め決定されてもよい。
【００４８】
一実施形態によれば、出力部１１０は、視覚情報を生成するためのプロセッサ及びメモリを含む。メモリは命令を格納する。メモリに格納された命令をプロセッサが行う場合、プロセッサは、ディスプレイパネル及び光源１１３を制御する。例えば、プロセッサは、視覚的情報を出力するためにディスプレイパネルを制御する。
【００４９】
第１スペクトルは、光学レイヤ１４０によって反射されるように第２スペクトルに含まれてもよい。第１スペクトルは、赤色系統の波長を有する光線、緑色系統の波長を有する光線、及び青色系統の波長を有する光線のうち少なくとも１つを含む。例えば、ディスプレイパネル１１１は、赤色系統の波長を有する光線を用いてＨＵＤ映像を表示してもよく、赤色系統の波長を有する光線、緑色系統の波長を有する光線、及び青色系統の波長を有する光線を共に用いてＨＵＤ映像を表示してもい。例えば、第２スペクトルは、赤外線系統の波長、緑色系統の波長、及び赤色系統の波長のうち少なくとも１つ又はその組合せを含んでもよい。ディスプレイパネル１１１及び光源１１３が共に作動することで、それらを含む出力部１１０は、第１スペクトル内で視覚的情報を含むｐ極性の光線を出力する。
【００５０】
光源１１３は、ＬＥＤタイプ又はレーザタイプに該当する。ただし、光源１１３のタイプは必ずＬＥＤタイプ又はレーザタイプに限定されることなく、ディスプレイパネル１１１に必ず白色の光を提供するように限定されることもない。以下、説明の便宜のために出力部１１０内のディスプレイパネル１１１及び光源１１３が別途のレイヤで具現され、光源１１３が白色の光を提供する実施形態について説明するが、場合に応じて、出力部１１０のディスプレイパネル１１１と光源１１３は単一レイヤで実現されてもよく、光源１１３が白色ではない他の色系統の波長を有する光を提供してもよい。
【００５１】
出力部１１０で出力された光線は偏光板１２０に投射される。偏光板１２０は、ｓ極性の光線を吸収し、ｐ極性の光線を通過させる特性を有する。出力部１１０から出力される視覚的情報を含む光線はｐ極性を有するため、偏光板を通過する。出力部１１０の誤作動又は設計のエラーなどの原因により、出力部１１０から出力される光線の全て又は一部がｓ極性の光線に該当する場合、偏光板１２０は、ｓ極性の光線を吸収することにより、偏光板１２０を通過した後の光線がｐ極性の光線になるようにする。
【００５２】
また、一実施形態に係るＨＵＤ表示装置は、１つ以上の鏡１３０をさらに含んでもよく、光学レイヤ１４０は、車両のウインドシールド１５０に挿入又は付着されてもよい。
【００５３】
視覚的情報を含むｐ極性の光線は、偏光板１２０を通過して１つ以上の鏡１３０に投射される。１つ以上の鏡１３０は、１つ以上の平面鏡、１つ以上の凸面鏡、又は、その組合せを含む。１つ以上の鏡１３０は、視覚的情報を含むｐ極性の光線が反射される方向を調整することで、１つ以上の鏡１３０から反射した光線が光学レイヤ１４０に入射されるとき、臨界角（例えば、ブルースター角など）で入射されるようにする。一実施形態によれば、臨界角は予め決定されてもよい。以下で詳細に説明するが、臨界角は、予め決定された角度範囲を含む。例えば、図３を参照すると、光学レイヤ１４０に光線が入射される入射角度に応じてｓ極性の光線のみが反射され、ｐ極性の光線は透過する角度範囲が存在するが、一実施形態に係る臨界角は、該当角度範囲を含む概念として理解される。
【００５４】
１つ以上の鏡１３０が１つ以上の凸面鏡を含む場合、凸面鏡は出力部１１０が含むディスプレイパネル１１１が表示するＨＵＤ映像の大きさを調整することで、車両の運転者が視聴しているＨＵＤ映像の大きさを調整（例えば、拡大）する。ただし、視覚的情報を含むｐ極性の光線が投射される方向及び車両の運転者が視聴しているＨＵＤ映像の大きさを適切に調整することは、出力部１１０の適切な設計に応じて達成できる。したがって、他の実施形態によれば、車両の運転者が視聴しているＨＵＤ映像の大きさ及び視覚的情報を含むｐ極性の光線が反射される方向は、１つ以上の鏡１３０を利用することなく調整され得る。以下、説明の便宜のために一つ以上の鏡１３０が含まれた実施形態について説明するが、場合に応じて、ＨＵＤ表示装置は１つ以上の鏡１３０を含まなくてもよい。
【００５５】
視覚的情報を含むｐ極性の光線が光学レイヤ１４０に入射されるときの入射角に関する詳細な事項について、図３を参照して後述する。
【００５６】
光学レイヤ１４０は、第２スペクトル内で受信された光線の少なくとも一部を反射させる。一実施形態によれば、第２スペクトルは、予め決定されてもよい。第２スペクトルは、出力部１１０で用いる第１スペクトルを含む。例えば、第１スペクトルに対応する波長が赤色系統の波長である場合、第２スペクトルに対応する波長は、赤色系統の波長及び赤外線系統の波長に該当する。出力部１１０から第１スペクトル内で視覚的情報を含むｐ極性の光線は臨界角で光学レイヤ１４０に入射され、光学レイヤ１４０から少なくとも一部が視聴空間に反射される。一実施形態によれば、臨界角は、予め決定されてもよい。視聴空間は、車両の運転者が視覚的情報を視聴できる空間である。一実施形態によれば、視聴空間は予め決定されてもよい。
【００５７】
第２スペクトル内で光学レイヤ１４０に入射された光線のうち、光学レイヤ１４０から反射される光線の比率が光学レイヤ１４０の反射率になる。光学レイヤ１４０の反射率は、要求される可視性に基づいて決定される。例えば、車両の運転者が視聴しているＨＵＤ映像が相対的に高い可視性を有するよう要求された場合、光学レイヤ１４０は、予め決定されたスペクトルに対して８０％の反射率を有するように設計されてもよい。一方、車両の運転者が視聴しているＨＵＤ映像が相対的に低い可視性を有するように要求された場合、光学レイヤ１４０は、予め決定されたスペクトルに対して３０％の反射率を有するように設計されてもよい。
【００５８】
光学レイヤ１４０は、車両のウインドシールド１５０と内部ガラスレイヤ（ｃｏｖｅｒ  ｌａｙｅｒ）との間に位置したり、車両のウインドシールド１５０外側に位置したり、内部ガラスレイヤ内側に位置してもよい。内部ガラスレイヤは、車両のウインドシールド１５０の車両内部側の表面に位置するガラスレイヤであり得る。光学レイヤ１４０が車両のウインドシールド１５０と内部ガラスレイヤとの間に位置することは、車両のウインドシールド１５０を構成するガラスと内部ガラスレイヤを構成するガラスとの間に光学レイヤ１４０が挿入される場合を含む。光学レイヤ１４０が車両のウインドシールド１５０の外側に位置することは、車両のウインドシールド１５０の車両の外部側の表面に光学レイヤ１４０がフィルム形態に付着されることを含み、光学レイヤ１４０が内部ガラスレイヤの内側に位置することは、内部ガラスレイヤの車両内部側の表面に光学レイヤ１４０がフィルム形態に付着されていることを含む。以下、説明の便宜のために、光学レイヤ１４０が車両のウインドシールド１５０と内部ガラスレイヤとの間に位置するように実現された実施形態について説明するが、場合に応じて、上述した異なる方式により光学レイヤ１４０が位置するように実現されてもよい。
【００５９】
光学レイヤ１４０の動作に関するより詳細な事項は、図４及び図５を参照して後述する。
【００６０】
視覚的情報を含むｐ極性の光線が光学レイヤ１４０から視聴空間に反射されることにより、車両の運転者はＨＵＤ映像を視聴し得る。車両の運転者は、自分の視野の前方に位置する仮想イメージ平面１６０にＨＵＤ映像が位置するよう映像を視聴する。仮想イメージ平面１６０は、運転者の可視域内に位置し、運転のための視野を妨害しないようにその位置が決定される。仮想イメージ平面１６０に適切な場所は、運転者の便宜を図るとともに運転中の危険を防止でき、ＨＵＤ表示装置の適切な設計に応じて決定される。
【００６１】
一実施形態に係る偏光板及び光学レイヤを活用したＡＲディスプレイ装置は、出力部１１０で出力された視覚的情報を含むｐ極性の光線が視聴空間に伝達されるようにすることで、車両の運転者が視覚的情報（ＨＵＤ映像）を視聴するようにする。
【００６２】
図２は、一実施形態に係る外部から入射された光線の進みを説明するための図である。出力部２２０は、図１に示す出力部１１０に対応し、偏光板２３０は図１に示す偏光板１２０に対応し、１つ以上の鏡２４０は図１に示す１つ以上の鏡１３０に対応し、光学レイヤ２５０は図１に示す光学レイヤ１４０に対応する。図２において点線はｓ極性の光線に該当し、実線はｐ極性の光線に該当する。
【００６３】
図２を参照すると、一実施形態により、ｐ極性の映像を用いて視覚的情報を提供するＨＵＤシステムにおいて、外部から入射される太陽光はユーザに反射されない。例えば、太陽光が光学レイヤ２５０に入射すると、太陽光内の予め決定されたスペクトル内の波長を有する光線２１１，２１２が反射される。残りの波長の光線２１３，２１４は、光学レイヤ２５０を通過して偏光板２３０に達する。偏光板２３０でｓ極性の光線２１３が吸収され、ｐ極性の光線２１４のみが通過する。ｐ極性の光線２１４は、出力部２２０によって反射されて光学レイヤ２５０に逆伝播される。一実施形態によれば、光学レイヤ２５０は、マルチバンドの二色性コーティング（ｄｉｃｈｒｏｉｃ  ｃｏａｔｉｎｇ）であってもよい。一実施形態によれば、光学レイヤ２５０は、予め決定されたスペクトル内の波長を有する光線のみを選択的に反射し、ｐ極性の光線２１４は、該当スペクトル以外の波長を有することからｐ極性の光線２１４は、光学レイヤ２５０で反射されずに通過する。そのため、外部から入射される太陽光はユーザに反射されない。
【００６４】
一方、ｓ極性の映像を用いて視覚的情報を提供するＨＵＤシステムでは、ｓ極性の光線が出力部によって反射されて光学レイヤに逆伝播される。この場合にも、ｓ極性の光線は、光学レイヤから反射されるように設計されたスペクトル内の波長を有しない。しかし、図３を参照すると、光学レイヤからｓ極性の光線の少なくとも一部が常に反射されるため、該当する一部のｓ極性の光線がユーザに反射される。これによって、外部の太陽光による眩しい現象などのＨＵＤ映像の視聴を阻害する問題が発生する恐れがある。
【００６５】
以下、一実施形態によりｐ極性の映像を用いて視覚的情報を提供するＨＵＤシステムの動作を具体的に説明する。光学レイヤ２５０は、第２スペクトル内で受信された光線の少なくとも一部を反射させ得る。第１光線２１１は、第２スペクトルに含まれる波長を有する光線のうちｓ極性の光線に該当し、第２光線２１２は、第２スペクトルに含まれる波長を有する光線のうちｐ極性の光線に該当し、第３光線２１３は、第２スペクトルに含まれない波長を有する光線のうちｓ極性の光線に該当し、第４光線２１４は、第２スペクトルに含まれない波長を有する光線のうちｐ極性の光線に該当する。
【００６６】
第１光線２１１及び第２光線２１２は、第２スペクトルに含まれる波長を有するため、光学レイヤ２５０の性質に応じて少なくとも一部が光学レイヤで反射される。第２スペクトルに対して光学レイヤ２５０の反射率が１００％である場合、第１光線２１１及び第２光線２１２は、光学レイヤ２５０で完全に反射されるため、運転者の視野に全く達しない場合がある。光学レイヤ２５０の反射率が１００％でない場合、第１光線２１１及び第２光線２１２の一部は光学レイヤ２５０を透過する。第１光線２１１及び第２光線２１２の一部が光学レイヤ２５０を透過した場合、第１光線２１１の進行は、光学レイヤ２５０を透過した第３光線２１３とほぼ同一であってもよく、第２光線２１２の進行は、光学レイヤ２５０を透過した第４光線２１４とほとんど同一であるため、第１光線２１１及び第２光線２１２の一部が光学レイヤ２５０を透過した後の光の進行については図示していない。
【００６７】
第３光線２１３及び第４光線２１４は、第２スペクトルに含まれる波長を有しないため、光学レイヤ２５０の性質に応じて反射されないことがある。車両の外部の空気を進行して車両のウインドシールドに達した光線は、屈折率の変化に応じて一部が反射されるが、屈折率の変化に応じて外部に反射された第３光線２１３及び第４光線２１４は、ＡＲディスプレイ装置にいかなる影響も及ぼさないため、その後の進行は考慮しない。屈折率の変化に応じて、外部に反射されていない少なくとも一部の第３光線２１３及び第４光線２１４は、光学レイヤ２５０を透過する。
【００６８】
屈折率の変化に応じて、外部から入射される光線の一部が反射されることに関するより詳細な事項については図３を参照して後述する。
【００６９】
光学レイヤ２５０を透過した第３光線２１３及び第４光線２１４の一部は、１つ以上の鏡２４０に投射されてもよい。１つ以上の鏡２４０で反射された第３光線２１３及び第４光線２１４は、偏光板２３０に投射される。偏光板２３０は、ｓ極性の光線を吸収し、ｐ極性の光線を通過させる特性を有する。第３光線２１３はｓ極性の光線に該当するため、偏光板２３０で吸収され得る。第４光線２１４はｐ極性の光線に該当するため、偏光板２３０を通過して出力部２２０に投射される。出力部２２０に光線が入射される場合、出力部２２０は鏡の役割を果たす。第４光線２１４は、出力部２２０で反射されて１つ以上の鏡２４０に投射される。第４光線２１４が出力部２２０で反射する過程で偏光板２３０を再び通過することができるが、第４光線２１４はｐ極性の光線に該当するため、その進行に影響を受けない。
【００７０】
出力部２２０で反射された第４光線２１４は、１つ以上の鏡２４０に投射さ得る。１つ以上の鏡２４０は、出力部２２０で反射された光線の方向を調整することで、１つ以上の鏡２４０で反射された光線が光学レイヤ２５０に入射されるとき臨界角で入射するようにする。
【００７１】
光学レイヤ２５０に入射される角度を調整することに関するより詳細な事項は、図３を参照して後述する。
【００７２】
１つ以上の鏡２４０で再び反射された第４光線２１４は、光学レイヤ２５０に投射され得る。光学レイヤ２５０は、第２スペクトル内で受信された光線の少なくとも一部を反射させ得る。
【００７３】
第４光線２１４は、第２スペクトルに含まれる波長を有しないため、光学レイヤ２５０の性質又は特性に応じて反射されないことがある。第４光線２１４が光学レイヤ２５０に入射されるとき臨界角で入射され、第４光線２１４は、ｐ極性の光線に該当するため、車両内部の空気と内部ガラスレイヤとの間の境界面における反射係数が０になる。したがって、車両内部に進んでガラスレイヤに達した第４光線２１４の全ては、屈折率の変化にもかかわらず反射されず、光学レイヤ２５０を透過して外部に進み得るため、視聴空間に反射されない。一実施形態によれば、視聴空間は予め決定されてもよい。
【００７４】
一方、第２光線２１２のうち一部が外部から車両方向に光学レイヤ２５０を通過する場合、第２光線２１２は第２スペクトルに含まれる波長を有するため、光学レイヤ２５０の性質又は特性に応じて、少なくとも一部が光学レイヤで反射される。したがって、第２光線２１２の一部は、光学レイヤ２５０で視聴空間に反射される。第２スペクトルに含まれる波長に対する光学レイヤ２５０の反射率をＲとすれば（理解のために反射率をパーセント値ではない０と１との間の指数値に設定している）、外部から入射される第２光線の最大（１−Ｒ）だけが光学レイヤ２５０を透過する。また、１つ以上の鏡２４０で反射された第２光線のＲだけが光学レイヤ２５０から視聴空間に反射される。したがって、外部から入射される第２光線の最大Ｒ×（１−Ｒ）だけが光学レイヤ２５０を透過する。Ｒ×（１−Ｒ）はＲ＝０．５であるとき、０．２５を最大値として有するため、反射率が１ではない場合に、第２光線は最大１／４だけ視聴空間に反射される。
【００７５】
一実施形態に係る偏光板及び光学レイヤを活用したＡＲディスプレイ装置は、外部から入射された光線が視聴空間に伝達されないように遮断できる。例えば、外部から入射された光線の波長が、光学レイヤで反射させるスペクトルに含まれ、外部から入射された光線がｐ極性の光線に該当する場合、外部から入射された光線の少なくとも７５％を視聴空間に伝達されないように遮断し得る。又は、外部から入射された光線の波長が光学レイヤが受信された光線の少なくとも一部を反射させるスペクトルに含まれていないか、外部から入射された光線がｓ極性の光線である場合、外部から入射された光線の全てを視聴空間に伝達されないように遮断し得る。
【００７６】
図３は、一実施形態に係る屈折率が他の媒質に入射する光線の極性及び入射角による反射率を説明するための図である。図３を参照すると、ある媒質から屈折率の異なる媒質に光が入射するとき、２つの物質の屈折指数の差により、表面で光が一部反射する現象が生じる。表面で光が反射する程度は光線の極性と、２つの媒質の境界面に光が入射する角度によって決定され得る。図３に示されたグラフは、屈折率が小さい媒質である空気（屈折率１．０）から大きい媒質であるガラス（屈折率１．５）に光線が入射されるとき、その入射角による反射率を示すものである。グラフによれば、臨界角（例えば、ブルースター角（=tan-1(1.5/1)≒56.3°）３３０でｐ極性の光線３２０の反射率は０に近く、ｓ極性の反射率は約２０％である。したがって、光学レイヤに入射される光線の入射角が臨界角３３０になるよう調整すれば、ｐ極性の光線３２０は反射されずに透過する。以下、図１及び図２を参照して説明された実施形態の一部をさらに詳細に説明する。
【００７７】
図１において、１つ以上の鏡１３０は、視覚的情報を含むｐ極性の光線３２０が反射する方向を調整することで、１つ以上の鏡１３０で反射された光線が光学レイヤ１４０に入射されるとき、臨界角３３０を入射角として有するようにする。又は、出力部１１０の適切な設計に応じて、１つ以上の鏡１３０を使用しなくても、光線が光学レイヤ１４０に入射されるとき臨界角３３０を入射角として有するようにする。
【００７８】
光学レイヤ１４０は、第２スペクトル内で受信された光線の少なくとも一部を反射させ、第２スペクトルは、出力部１１０で用いる第１スペクトルを含む。
【００７９】
光学レイヤ１４０が車両のウインドシールド１５０と内部ガラスレイヤとの間に位置する場合、車両内部の空気と内部ガラスレイヤの境界面では反射係数が０になって、光線が反射されることなく透過するが、光学レイヤ１４０の性質に応じて光線の少なくとも一部が反射される。光学レイヤ１４０が車両のウインドシールド１５０の外側に位置する場合も、車両内部の空気と内部ガラスレイヤの境界面では反射係数が０になって、光線が反射されることなく透過するが、光学レイヤ１４０では、光学レイヤ１４０の性質に応じて光線の少なくとも一部が反射される。光学レイヤ１４０が内部ガラスレイヤの内側に位置する場合、光線が内部ガラスレイヤに達する前に光学レイヤ１４０に先に到達し、光学レイヤ１４０の性質に応じて光線の少なくとも一部が反射される。
【００８０】
図１において、視覚的情報を含むｐ極性の光線３２０が光学レイヤ１４０に入射されるとき、臨界角３３０以外の値を入射角として有すると仮定する場合も、光学レイヤ１４０で光線の少なくとも一部が反射され得る。ただし、ｐ極性の光線３２０が光学レイヤ１４０に入射されるとき、臨界角３３０を入射角として有するよう調整しない場合、光学レイヤ１４０だけでなく、車両内部の空気と内部ガラスレイヤの境界面における反射係数が０にならない。この場合、情報を含むｐ極性の光線３２０が二重に分かれて視聴空間に反射されるため、車両の運転者が視聴しているＨＵＤ映像が曇るように見えたり、２つが重なって見える形態になり、その可視性が低下する。これは運転中の危険を招き、運転者の不便と引き起こすことから、ｐ極性の光線３２０が光学レイヤ１４０に入射されるとき臨界角３３０を入射角として有するように調整される。
【００８１】
図２において、外部から入射される光線は、車両のウインドシールド及び光学レイヤ２５０に入射されるとき様々な入射角を有し得る。第３光線２１３及び第４光線２１４は、第２スペクトルに含まれる波長を有しないため、光学レイヤ２５０の性質に応じて反射されないことがある。図３を参照すると、第３光線２１３はｓ極性３１０を有し、ウインドシールドに入射されるとき屈折率の変化に応じて反射される。
【００８２】
一実施形態によれば、ｐ極性の光線を出力する出力部と、ｓ極性の光線を吸収する偏光板を用いることで、外部から入射されるｐ極性の光線が運転者の視野を妨害することを防止する。例えば、図２に示す第４光線２１４は、第２スペクトルに含まれる波長を有しないため、光学レイヤ２５０の性質に応じて反射されない。第４光線２１４が光学レイヤ２５０に入射されるときに臨界角を入射角として有し、第４光線２１４はｐ極性の光線３２０に該当するため、車両内部の空気と内部ガラスレイヤとの間の境界面における反射係数が０になる。したがって、車両内部を進んでガラスレイヤに達した光線は、屈折率の変化にもかかわらず反射されない。したがって、第４光線２１４の全ては、光学レイヤ２５０を透過して外部に進むため、視聴空間に反射されない。
【００８３】
図４は、一実施形態に係る光学レイヤが反射させる光線の波長のスペクトルの例示図である。図４を参照すると、光学レイヤは、第２スペクトル内で受信された光線の少なくとも一部を反射させ、第２スペクトルは出力部で用いられる第１スペクトルを含む。グラフ（ａ）４１０、グラフ（ｂ）４２０、グラフ（ｃ）４３０、グラフ（ｄ）４４０、及びグラフ（ｅ）４５０のそれぞれは、可能な第２スペクトルの範囲及び可能な反射度を示すグラフである。グラフ（ａ）４１０〜グラフ（ｅ）４５０において、Ｂは青色系統（ｂｌｕｅ）の波長を示し、Ｇは緑色系統（ｇｒｅｅｎ）の波長を示し、Ｒは赤色系統（ｒｅｄ）の波長を示す。
【００８４】
第２スペクトルは青色系統の波長、緑色系統の波長、及び赤色系統の波長のうち少なくとも一部を含む。説明の便宜のためにグラフ（ａ）４１０には、第２スペクトルが青色系統の波長、緑色系統の波長、及び赤色系統の波長の全てを含むものとして示したが、第２スペクトルがそのうちの一部のみを含んでもよい。ただし、出力部で視覚的情報を含む光線を出力する点を勘案すると、視聴空間に反射される光線も可視性を有しなければならない。したがって、予め決定された第２スペクトルは、青色系統の波長、緑色系統の波長、及び赤色系統の波長のうち少なくとも一部は含み得る。
【００８５】
第２スペクトルが青色系統の波長、緑色系統の波長、及び赤色系統の波長のうち少なくとも一部を含む場合、それぞれに対して第２スペクトルが含む波長の範囲は様々に決定される。例えば、グラフ（ｂ）４２０において、青色系統の波長、緑色系統の波長、及び赤色系統の波長に対して第２スペクトルが含む波長の範囲は、グラフ（ａ）４１０において、青色系統の波長、緑色系統の波長、及び赤色系統の波長に対して第２スペクトルが含む波長の範囲よりも相対的に広い。
【００８６】
第２スペクトルに対する反射率は、様々に決定されてもよい。第２スペクトルに対する反射率は、要求される可視性に基づいて決定される。例えば、グラフ（ｃ）４３０において、第２スペクトルに対する光学レイヤの反射率は、グラフ（ａ）４１０で第２スペクトルに対する光学レイヤの反射率より相対的に小さい値を有する。
【００８７】
第２スペクトルは、青色系統の波長、緑色系統の波長、及び赤色系統の波長のみならず他の波長も含んでもよい。一例として、グラフ（ｄ）４４０において、第２スペクトルは、青色系統の波長、緑色系統の波長、及び赤色系統の波長だけでなく、赤外線系統の波長も含み得る。外部から入射される光線のうち、赤外線系統の波長を有する光線が車両内部に入射されると、赤外線の輻射によって車両内部の温度が上昇するため、第２スペクトルが赤外線系統の波長を含むことによって赤外線の輻射による車両内部の温度上昇を緩和又は防止する。他の例示として、グラフ（ｅ）４５０において、第２スペクトルは全体波長を含んでもよい。ただし、第２スペクトルが全体の波長を含む場合、反射率が１に近づけば、外部から入射される光線が光学レイヤで実質的に全て反射され、運転者が外部環境に対する視野を確保できなくなるため、反射率は１未満の値（例えば、０．５）に決定される。
【００８８】
図５は、一実施形態に係る光学レイヤの動作を説明するための図である。図５を参照すると、出力部で出力された視覚的情報を含むｐ極性の光線５１０が臨界角を入射角として有しながら、内部ガラスレイヤ５４０に入射される場合、車両内部の空気と内部ガラスレイヤ５４０の間の境界面における反射係数が０になる。したがって、車両内部を進んでガラスレイヤに達した光線は、屈折率の変化にもかかわらず反射されない。
【００８９】
内部ガラスレイヤ５４０内に透過した光線５１０が光学レイヤ５３０に入射される場合、光学レイヤ５３０の性質又は特性に応じて、第２スペクトルに含まれる波長を有する光線５１０の少なくとも一部が反射される。第２スペクトルに対して光学レイヤ５３０の反射率が１００％である場合、第２スペクトルに含まれる波長を有する光線５１０の全てが反射されてもよい。第２スペクトルに対して光学レイヤ５３０の反射率が１００％ではない場合、光線５１０の一部は、光学レイヤ５３０を通過して進む。光線５１０が内部ガラスレイヤ５４０に入射されるときの入射角は臨界角に該当し、屈折率が小さい車量内部の空気で屈折率が大きい内部ガラスレイヤに入射された場合、屈折角は入射角よりさらに小さくなる。光線５１０が車両内部の空気から内部ガラスレイヤ５４０に入射されるときの屈折角は、光線５１０が車両のウインドシールド５２０から車両の外部空気に入射されるときの入射角になるため、このときの入射角は臨界角を有し、境界面における反射係数は０になる。したがって、車両のウインドシールド５２０を進んで車両のウインドシールド５２０と車両の外部空気の境界面に達した光線は、屈折率の変化にもかかわらず反射されない。すなわち、第２スペクトルに対して光学レイヤ５３０の反射率が１００％でなくても、光学レイヤ５３０でのみ反射が発生し得る。光学レイヤ５３０でのみ反射が発生すれば、光線５１０が二重に分かれて反射されないため、車両の運転者が視聴しているＨＵＤ映像が曇るように見えたり、重なって見えないようにする。
【００９０】
光学レイヤ５３０の反射率が１００％である場合、第２スペクトルに含まれる波長を有する光線のうち、ｐ極性の光線５１０の全てが光学レイヤ５３０で反射されるため、車両のウインドシールド５２０の外側に存在する水、氷、泥などの様々な異質物５５０に影響を受けない。一方、光学レイヤ５３０の反射率が１００％ではない場合、光線５１０の一部が車両のウインドシールド５２０と異質物５５０の境界面に達する。この場合、異質物によって光線の反射が生じる。異質物によって光線の反射が発生すれば、光線５１０が二重に分かれて反射されるため、車両の運転者が視聴しているＨＵＤ映像は曇るように見えたり、重なって見える形態になり、その可視性が低下する。ただし、光学レイヤ５３０の反射率をＲとすれば、車両内部の空気から内部ガラスレイヤ５４０に入射される光線５１０の最大（１−Ｒ）だけが光学レイヤ５３０を透過し、異質物によって反射が生じた光線の最大（１−Ｒ）だけが再び光学レイヤ５３０を透過できるため、ガラスレイヤ５４０に入射される光線５１０の最大（１−Ｒ）２だけが異質物によって反射される。したがって、Ｒが１に近い値であるほど、異質物による二重反射は減少する。
【００９１】
以上、説明の便宜のために光学レイヤ５３０が車両のウインドシールド５２０と内部ガラスレイヤ５４０との間に位置するよう実現された実施形態について説明したが、場合に応じて、光学レイヤが車両のウインドシールド５２０の外側に位置したり、内部ガラスレイヤ５４０の内側に位置してもよい。ただし、このような場合にも、第２スペクトルに含まれる波長を有する光線のうち、ｐ極性の光線５１０が臨界角を入射角として有する場合、内部ガラスレイヤ５４０及び車両のウインドシールド５２０では反射が発生せず、光学レイヤ５３０でのみ反射が発生する。また、車両のウインドシールド５２０の外側に存在する異質物５５０による二重反射の場合にも、光線５１０が光学レイヤ５３０を２回透過するという点は同一である。したがって、上述した説明により、光学レイヤが車両のウインドシールド５２０の外側に位置したり、内部ガラスレイヤ５４０の内側に位置する実施形態についても同様に説明可能である。
【００９２】
図６は、一実施形態に係る偏光メガネを着用したときのＨＵＤ映像の可視性を説明するための図である。ＨＵＤシステムの出力部がＬＣＤディスプレイを基盤とする場合、偏光メガネ（例えば、偏光サングラスなど）の偏光方向とＬＣＤディスプレイの偏光方向が直交し、ユーザはＨＵＤ映像を視聴できない問題がある。一実施形態によれば、ｐ極性の映像を用いて視覚的情報を提供することで、偏光メガネを着用したユーザにも円満にＨＵＤ映像が提供され得る。
【００９３】
図６を参照すると、出力部で出力された視覚的情報を含むｐ極性の光線６１０が臨界角を入射角として有しながら、内部ガラスレイヤ又は光学レイヤ６２０に入射される場合、車両内部の空気と内部ガラスレイヤとの間の境界面における反射係数が０になるため、光線６１０は内部ガラスレイヤで反射されない。出力部で出力された視覚的情報を含むｐ極性の光線６１０は、第１スペクトルに含まれる波長を有し、第１スペクトルは第２スペクトルに含まれてもよい。言い換えれば、光線６１０は第２スペクトルに含まれる波長を有する。内部ガラスレイヤを通過した光線６１０が光学レイヤ６２０に入射される場合、光学レイヤ６２０の性質に応じて、第２スペクトルに含まれる波長を有する光線６１０の少なくとも一部が反射される。
【００９４】
運転者はｐ偏光メガネ６３０を着用して運転中の眩しさを防止することでその便宜を図り、運転中の危険を防止する。出力部で出力された視覚的情報を含む光線６１０はｐ極性の光線に該当するため、ｐ偏光メガネ６３０の偏光レンズを通過し得る。したがって、運転者がｐ偏光メガネ６３０を着用した場合も、ＨＵＤ映像の可視性が確保され得る。ｐ偏光メガネ６３０は、例えば、偏光サングラスを含んでもよい。
【００９５】
図７は、一実施形態に係る視覚的情報を含むｐ極性の光線の進みを説明するための動作フローチャートである。図７を参照すると、出力部で視覚的情報を含むｐ極性の光線を出力する（Ｓ７１０）。ステップ７１０は、図１に示す出力部１１０によって実行される。出力された光線は、ｐ極性の光線を通過させてｓ極性の光線を吸収する偏光板を通過する（Ｓ７２０）。ステップＳ７２０は、図１に示す偏光板１２０によって実行される。偏光板を通過した光線は、１つ以上の鏡で反射される（Ｓ７２５）。１つ以上の鏡は、光線が投射される方向及び車両の運転者が視聴しているＨＵＤ映像の大きさを適切に調整できるが、これは出力部の適切な設計に応じて達成できるため、このような目的を達成するために、１つ以上の鏡が必ず必須なものではない。ステップＳ７２５は、図１に示す１つ以上の鏡１３０によって実行される。１つ以上の鏡で反射された光線（１つ以上の鏡で反射されない場合、偏光板を通過した光線）は、光学レイヤで少なくとも一部が視聴空間に反射される（Ｓ７３０）。ステップＳ７３０は、図１に示す光学レイヤ１４０によって実行される。
【００９６】
図８は、一実施形態に係る外部から入射された光線の進みを説明するための動作フローチャートである。図８を参照すると、外部から入射された光線が光学レイヤで受信される（Ｓ８０１）。外部から入射された光線の波長が第２スペクトルに含まれる場合（Ｓ８０２）、光学レイヤの反射率が１００％であるか否か（Ｓ８０３）に応じて、光線の進みが変わる。外部から入射された光線の波長が第２スペクトルに含まれる場合、図２に示す第１光線２１１及び第２光線２１２に対応する。光学レイヤの反射率が１００％である場合、光線は完全に外部に反射される（Ｓ８０４）。光学レイヤの反射率が１００％ではない場合、光線の一部は外部に反射され、残りの一部は光学レイヤを透過する（Ｓ８０５）。
【００９７】
外部から入射された光線の波長が第２スペクトルに含まれない場合（Ｓ８０２）、光線は光学レイヤを透過する（Ｓ８０６）。外部から入射された光線の波長が第２スペクトルに含まれない場合、図２に示す第３光線２１３及び第４光線２１４に対応する。光学レイヤで透過（Ｓ８０５，Ｓ８０６）された光線は、１つ以上の鏡で反射される（Ｓ８０７）。１つ以上の鏡で反射された光線は、偏光板に投射される（Ｓ８０８）。ｓ極性の光線である場合（Ｓ８０９）は偏光板で吸収される（Ｓ８１０）。ｓ極性の光線は、図２に示す第１光線２１１及び第３光線２１３に対応する。ｐ極性の光線である場合（Ｓ８０９）は偏光板を通過し、出力部で反射される（Ｓ８１１）。ｐ極性の光線は、図２に示す第２光線２１２及び第４光線２１４に対応する。出力部で反射された光線は１つ以上の鏡で反射される（Ｓ８１２）。ただし、偏光板及び出力部が適切に設計された場合、１つ以上の鏡が必ず必要なものではないため、場合に応じて、ステップＳ８０７及びステップＳ８１２が省略されてもよい。
【００９８】
１つ以上の鏡で反射された光線（１つ以上の鏡で反射されない場合、偏光板を通過した光線）は、光学レイヤに投射される（Ｓ８１３）。光学レイヤに投射された光線の波長が第２スペクトルに含まれる場合（Ｓ８１４）、光線の一部が視聴空間に反射される（Ｓ８１５）。光学レイヤに投射された光線の波長が第２スペクトルに含まれる場合、図２に示す第２光線２１２に対応する。光線の波長が第２スペクトルに含まれる場合、ステップＳ８０２からステップＳ８０３に動作が進んいるため、ステップＳ８１５まで動作が進行されるためには、ステップＳ８０５からステップＳ８０７に動作が進むべきである。すなわち、ステップＳ８０５に動作が進むためには、光学レイヤの反射率が１００％でないため、ステップＳ８１５で「少なくとも一部」ではない、「一部」が視聴空間に反射される。光学レイヤに投射された光線の波長が第２スペクトルに含まれない場合（Ｓ８１４）、光線は光学レイヤを透過する（Ｓ８１６）。光学レイヤに投射された光線の波長が第２スペクトルに含まれていない場合、図２に示す第４光線２１４に対応する。
【００９９】
以上述した実施形態は、ハードウェア構成要素、ソフトウェア構成要素、又はハードウェア構成要素及びソフトウェア構成要素の組み合せで具現される。例えば、本実施形態で説明した装置及び構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサー、又は命令（ｉｎｓｔｒｕｃｔｉｏｎ）を実行して応答する異なる装置のように、１つ以上の汎用コンピュータ又は特殊目的コンピュータを用いて具現される。処理装置は、オペレーティングシステム（ＯＳ）及びオペレーティングシステム上で実行される１つ以上のソフトウェアアプリケーションを実行する。また、処理装置は、ソフトウェアの実行に応答してデータをアクセス、格納、操作、処理、及び生成する。理解の便宜のために、処理装置は１つが使用されるものとして説明する場合もあるが、当技術分野で通常の知識を有する者は、処理装置が複数の処理要素（ｐｒｏｃｅｓｓｉｎｇ  ｅｌｅｍｅｎｔ）及び／又は複数類型の処理要素を含むことが把握する。例えば、処理装置は、複数のプロセッサ又は１つのプロセッサ及び１つのコントローラを含む。また、並列プロセッサ（ｐａｒａｌｌｅｌ  ｐｒｏｃｅｓｓｏｒ）のような、他の処理構成も可能である。
【０１００】
ソフトウェアはコンピュータプログラム、コード、命令、又はそのうちの一つ以上の組合せを含み、希望の通りに動作するよう処理装置を構成したり、独立的又は結合的に処理装置を命令することができる。ソフトウェア及び／又はデータは、処理装置によって解釈されたり処理装置に命令又はデータを提供するために、いずれかの類型の機械、構成要素、物理的装置、仮想装置、コンピュータ格納媒体又は装置、又は送信される信号波に永久的又は一時的に具体化することができる。ソフトウェアはネットワークに連結されたコンピュータシステム上に分散され、分散した方法で格納されたり実行され得る。ソフトウェア及びデータは一つ以上のコンピュータで読出し可能な記録媒体に格納され得る。
【０１０１】
本実施形態による方法は、様々なコンピュータ手段を介して実施されるプログラム命令の形態で具現され、コンピュータ読み取り可能な記録媒体に記録される。記録媒体は、プログラム命令、データファイル、データ構造などを単独又は組み合せて含む。記録媒体及びプログラム命令は、本発明の目的のために特別に設計して構成されたものでもよく、コンピュータソフトウェア分野の技術を有する当業者にとって公知のものであり使用可能なものであってもよい。コンピュータ読み取り可能な記録媒体の例としては、ハードディスク、フロッピー（登録商標）ディスク及び磁気テープのような磁気媒体、ＣＤ−ＲＯＭ、ＤＹＩＪＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置を含む。プログラム命令の例としては、コンパイラによって生成されるような機械語コードだけでなく、インタプリタなどを用いてコンピュータによって実行される高級言語コードを含む。ハードウェア装置は、本発明に示す動作を実行するために１つ以上のソフトウェアモジュールとして作動するように構成してもよく、その逆も同様である。
【０１０２】
上述したように実施形態をたとえ限定された図面によって説明したが、当技術分野で通常の知識を有する者であれば、上記の説明に基づいて様々な技術的な修正及び変形を適用することができる。例えば、説明された技術が説明された方法と異なる順で実行されるし、及び／又は説明されたシステム、構造、装置、回路などの構成要素が説明された方法と異なる形態で結合又は組み合わせられてもよいし、他の構成要素又は均等物によって置き換え又は置換されたとしても適切な結果を達成することができる。
【０１０３】
したがって、本発明の範囲は、開示された実施形態に限定されて定められるものではなく、特許請求の範囲及び特許請求の範囲と均等なものなどによって定められるものである。
【図１】
2019185048.tif 000003
【図２】
2019185048.tif 000004
【図３】
2019185048.tif 000005
【図４】
2019185048.tif 000006
【図５】
2019185048.tif 000007
【図６】
2019185048.tif 000008
【図７】
2019185048.tif 000009
【図８】
2019185048.tif 000010